(57)【特許請求の範囲】
【請求項１】
円柱状の軸部と軸部の一端に頭部、他端に先鋭な先端部を設けた、瓦締結用の釘において、前記軸部の前記頭部下から前記先鋭な先端部に向かって、締結される瓦の厚みと同じ長さのスムース部、軸部の周面上に前記締結される瓦を支える瓦桟木の厚みと同じ長さの螺旋状突条部、前記瓦桟木が防水シートを介して締結される屋根下地材の厚みと同じかそれ以上の長さの、前記軸部の長手方向に複数の周突条を連ねて設けた抜け止め部を順に連続して設け、前記複数の周突条の外径が前記螺旋状突条部の外径より小さく前記スムース部より大きいことを特徴とする瓦締結用釘
【請求項２】
請求項１に記載の瓦締結用釘において、前記抜け止め部を構成する複数の周突条のうち、少なくとも前記防水シートと嵌合する部分に位置する周突条の前記軸部の長手方向側面が、外膨らみ形状傾斜面に成形されたことを特徴とする瓦締結用釘。
【請求項３】
請求項１または請求項２に記載の瓦締結用釘において、前記抜け止め部を構成する、複数の周突条の外径が先鋭な先端部側に位置する周突条から頭部側に位置する周突条に向かって徐々に拡径するように成形されたことを特徴とする瓦締結用釘。
【請求項４】
請求項１から請求項３のいずれかに記載の瓦締結用釘において、前記螺旋状突条が、多条スクリューからなり、この多条スクリューの山部に複数の掛止め溝を設け、前記掛止め溝の頭部側の一面が先鋭な先端部側に向けて徐々に深くなるような傾斜面に成形されたことを特徴とする瓦締結用釘。
【請求項５】
請求項１から請求項４のいずれかに記載の瓦締結用釘において、前記先鋭な先端部と前記抜け止め部の間に、瓦桟木と屋根下地材の間に締結される防水シートの厚みと同じかそれ以上の長さで、第二のスムース部を設けたことを特徴とする瓦締結用釘。
【発明の詳細な説明】
【０００１】
【発明の属する技術分野】
この発明は屋根に葺設する瓦を瓦桟木に固定するための瓦締結用釘に関する。
【０００２】
【従来の技術】
屋根に葺設する瓦を瓦桟木に固定する瓦止めの施工には、幾つかの瓦締結用釘がもちいられているが、従来の瓦締結用釘としては、例えば、ＪＩＳＡ５５０８に規格化されたスクリュー釘やリング釘がよく使用されていた。
【０００３】
【発明が解決しようとする課題】
しかしながら、スクリュー釘を使用した場合、降雨時、瓦と瓦の接合部の隙間から浸入した雨水が瓦裏面を伝わり、瓦の真下に位置し、瓦を支える瓦桟木とその真下に位置する防水シートの隙間に入り込み、防水シートを貫通して防水シートの真下に位置する屋根下地材に螺合したスクリュー釘のスクリューの谷部を伝わり、屋根下地材にまで漏水し、長年に渡って屋根下地材を劣化させることがあった。そのため、瓦桟木までしか達しない長さのスクリュー釘を使用することもあるが、十分な締結力が得られず、瓦の落下事故が発生することもあり、防水シートを突き破り、瓦下地材まで貫通させて締結せざるを得なかった。この問題を解決するため、釘の軸部に多数のリング状の凸凹部を設けたリング釘を使用するようになったが、スクリュー釘と比べ、打込み時の抵抗が強く、瓦締結用釘は一般的に細くて長い軸部を必要とされるため、作業性が悪く、施工途中で釘の軸部が挫屈するという問題があった。
【０００４】
【課題を解決するための手段】
上記のような課題を解決するため、請求項１の発明は、円柱状の軸部と軸部の一端に頭部、他端に先鋭な先端部を設けた瓦締結用の釘において、前記軸部の前記頭部下から前記先鋭な先端部に向かって、締結される瓦の厚みと同じ長さのスムース部、軸部の周面上に前記締結される瓦を支える瓦桟木の厚みと同じ長さで、螺旋状突条部、前記瓦桟木が防水シートを介して締結される屋根下地材の厚みと同じかそれ以上の長さで、前記軸部の長手方向に連ねて設けた複数の周突条からなる抜け止め部を順に連続して設け、前記複数の周突条の外径が前記螺旋状突条部の外径より小さく前記スムース部より大きいという構成を採用したものである。
【０００５】
請求項２の発明は、請求項１に記載の瓦締結用釘において、前記抜け止め部を構成する複数の周突条のうち、少なくとも前記防水シートと嵌合する部分に位置する周突条の前記軸部の長手方向側面が、外膨らみ形状傾斜面に成形された構成を採用したものである。
【０００６】
請求項３の発明は、請求項１または請求項２に記載の瓦締結用釘において、前記抜け止め部を構成する、複数の周突条の外径が先鋭な先端部側に位置する周突条から頭部側に位置する周突条に向かって徐々に拡径するように成形された構成を採用したものである。
【０００７】
請求項４の発明は、請求項１から請求項３のいずれかに記載の瓦締結用釘において、前記螺旋状突条が、多条スクリューからなり、この多条スクリューの山部に複数の掛止め溝を設け、前記掛止め溝の頭部側の一面が先鋭な先端部側に向けて徐々に深くなるような傾斜面に成形された構成を採用したものである。
【０００８】
請求項５の発明は、請求項１から請求項４のいずれかに記載の瓦締結用釘において、前記先鋭な先端部と前記抜け止め部の間に、瓦桟木と屋根下地材の間に締結される防水シートの厚みと同じかそれ以上の長さで、第二のスムース部を設けた構成を採用したものである。
【０００９】
【発明の実施の形態】
以下、この発明の実施の形態を図示例と共に説明する。
【００１０】
図１から図４に示すように、瓦締結用釘１は頭部２と円柱状の軸部３、先鋭な先端部４とからなり、軸部３に、頭部２下から先端部４に向かって順に、締結される瓦２１の厚みｔ１と同じ長さＬ１のスムース部１１、軸部３の周面上に瓦２１を支える瓦桟木２２の厚みｔ２と同じ長さＬ２で、成形された螺旋状突条部１２、瓦桟木２２が防水シート２３を介して締結される屋根下地材２４の厚みｔ４と同じかそれ以上の長さＬ３で、軸部３の長手方向に連ねて設けた複数の周突条１３からなる抜け止め部１４、瓦桟木２２と屋根下地材２４の間に締結される防水シート２３の厚みｔ３と同じかそれ以上の長さＬ４に成形された第二のスムース部１５を連続して設けてある。そして、複数の周突条１３の外径ｄ３が螺旋状突条部１２の外径ｄ２より小さく、スムース部１１および第二のスムース部１５の外形ｄ１より大きく成形されている。また、防水シート２３と嵌合する部分に位置する周突条１３の軸部３の長手方向側面が、外膨らみ形状傾斜面に成形され、そして周突条１３はそれぞれの外径が先端部４側に位置する周突条１３から頭部２側に位置する周突条１３′に向かって徐々に拡径するとともに、周突条１３の軸部３の長手方向側面が外膨らみ形状傾斜面に成形されている。さらに、螺旋状突条部１２は、多条スクリュー１６からなり、この多条スクリュー１６の山部１７に複数の掛止め溝１８を設け、掛止め溝１８の頭部側の一面が先端部４側に向けて徐々に深くなるような傾斜面１９に成形されている。
【００１１】
次に、瓦締結用釘１による瓦止め施工方法を、図６を用いて説明する。
【００１２】
住宅用建築物の屋根構成部分に取り付けられた木造合板等の屋根下地材２４の上に合成ゴム等で成形された防水シート２３を敷設し、さらにその上に瓦２１の寸法に合わせた所定の間隔で瓦桟木２２を釘やネジを使って屋根下地材２４に固定する。
【００１３】
次に、瓦に成形された引っ掛け部を瓦桟木２２に引っ掛けて、瓦２１を仮固定する。そして、予め瓦２１に設けられた釘穴に瓦締結用釘１を釘先から挿入し、金鎚で屋根下地材２４に向かって打込む。
【００１４】
瓦締結用釘１を打込んでいく際、瓦桟木２２に釘先部４と第二のスムース部１５が突き刺さる。続いて、複数の周突条１３からなる抜け止め部１４が瓦桟木２２に侵入していく。複数の周突条１３はそれぞれの外径が先端部４側に位置する周突条から頭部２側に位置する周突条１３′に向かって徐々に拡径するように成形されているため、比較的、軽い力で打込むことが出来る。
【００１５】
その後、抜け止め部１４の周突条１３の外径ｄ３より大径に成形された、螺旋状突条部１２が、瓦桟木２２に侵入し、螺旋状突条部１２の多条スクリュー１６が抜け止め部１４が瓦桟木２２に孔けた貫通穴の側面部に強固に固着する。
【００１６】
一方、瓦桟木２２を貫通した瓦締結用釘１の釘先部４と第二のスムース部１５が、断面がほぼ真円に近い貫通穴を防水シート２３に成形した後，屋根下地材２４に嵌合していく。
【００１７】
第二のスムース部１５が防水シート２３を貫通した後、防水シート２３に第二のスムース部１５によって孔けられた貫通穴に複数の周突条１３からなる抜け止め部１４が侵入していく。
【００１８】
周突条１３の軸部３の長手方向側面が外膨らみ形状傾斜面に成形され、周突条１３の外径ｄ３は第二のスムース部１５の外径ｄ１より大きく、また周突条１３の断面は、ほぼ真円に成形されているため、周突条１３の側面に、防水シート２３の貫通穴側面は均等に、隙間なく密着する。
【００１９】
抜け止め部１４の防水シート２３を貫通した周突条１３は、先端部４側の小径の周突条が拡径した屋根下地材２４の貫通穴に頭部２側の大径の周突条が順次食い込んでいくので、瓦締結用釘１は屋根下地材２４に強固に固着する。
【００２０】
また、施工後、台風等の強風によって、瓦２１が吹き飛ばされるような外圧が瓦締結用釘１に働いた時、瓦桟木２２に固着された螺旋状突条部１２が多条スクリュー１６に沿って、回転しながら瓦桟木２２から抜けようとするが、屋根下地材２４に固着した、複数の周突条１３からなる抜け止め部１４が、螺旋状突条部１２の回転を阻止するため、締結用釘１は、外圧によって瓦２１が吹き飛ばされるのを強固に阻止することができる。
【００２１】
【発明の効果】
以上のように、この発明によると、円柱状の軸部と軸部の一端に頭部、他端に先鋭な先端部を設けた、瓦締結用の釘において、前記軸部の前記頭部下から前記先鋭な先端部に向かって、締結される瓦の厚みと同じ長さのスムース部、軸部の周方向に締結される瓦を支える瓦桟木の厚みと同じ長さで、螺旋状突条部、前記瓦桟木が防水シートを介して締結される屋根下地材の厚みと同じかそれ以上の長さで、前記軸部の長手方向に連ねて設けた複数の周突条からなる抜け止め部の順に連続して設け、前記複数の周突条の外径が前記螺旋状突条部の外径より小さく前記スムース部より大きく、さらに抜け止め部を構成する複数の周突条のうち、少なくとも前記防水シートと嵌合する部分に位置する周突条の前記軸部の長手方向側面が、外膨らみ形状傾斜面に成形され、そして複数の周突条のそれぞれの外径が先鋭な先端部側に位置する周突条から頭部側に位置する周突条に向かって徐々に拡径するように成形されたことを特徴とする瓦締結用の釘を使って瓦を締結することで、防水シートの防水性能を損なうことなく、台風等の外圧に対し、瓦を強固に締結することが出来るとともに、施工時の打ち損じも防ぐことができる。
【図面の簡単な説明】
【図１】本発明に係る瓦締結用釘の一例を示す正面図である。
【図２】本発明に係る瓦締結用釘の螺旋状突条部の一例を示す部分拡大図である。
【図３】本発明に係る瓦締結用釘の抜け止め部の一例を示す部分拡大図である。
【図４】本発明に係る瓦締結用釘の施工後の収まりを示す断面図である。
【図５】本発明に係る瓦締結用釘の抜け止め部と防水シートの嵌合状態を示す図である。
【図６】（ａ）乃至（ｂ）は本発明に係る瓦締結用釘を使った瓦施工の工程図である。
【符号の説明】
１． 釘
２． 頭部
３． 軸結
４． 釘先
１１．スムース部
１２．螺旋状突条部
１３．周突条
１４．抜け止め部
１５．第二のスムース部
１６．スクリュー
１７．山部
１８．掛止め溝
１９．傾斜面
２１．瓦
２２．瓦桟木
２３．防水シート
２４．屋根下地材
２５．釘
【図１】
0004861575.tif 000002
【図２】
0004861575.tif 000003
【図３】
0004861575.tif 000004
【図４】
0004861575.tif 000005
【図５】
0004861575.tif 000006
【図６】
0004861575.tif 000007